(57)【要約】本発明は、デジタルのテキスト要素および／または画素（１２，１４）をデジタルカラーディスプレイ（２２）に色で表示するための方法および装置に関し、このテキスト要素および／または画素（１２，１４）は、独自の色情報を有さず、カラージェネレータ（１８）は、各々の場合に、カラーパレット（２０）からの色（１９）を、テキスト要素および／または画素（１２，１４）の各々に割当てる。
2006505808.tif 000002
【特許請求の範囲】
【請求項１】
デジタルのテキスト要素および／または画素（１２,１４）をデジタルカラーディスプレイ（２２）上に色で表示する方法であって、当該テキスト要素および／または画素は独自の色情報を有さず、カラージェネレータ（１８）は、カラーパレット（２０）からの色（１９）を、当該テキスト要素および／または画素（１２，１４）の各々に割当てることを特徴とする、方法。
【請求項２】
テキストフィルタ（１６）は、当該テキスト（１２）から或る言葉を検出し、かつ当該カラージェネレータ（１８）に予め固定された色（１９）または固定された色の範囲をこれらに割当てさせることを特徴とする、請求項１に記載のデジタルのテキスト要素および／または画素（１２,１４）を色で表示する方法。
【請求項３】
テキストフィルタ（１６）は、当該テキストから或る言葉をフィルタリングし、かつ当該カラージェネレータ（１８）に予め固定された色（１９）または固定された色の範囲をこの言葉の表示の背景に割当てさせることを特徴とする、請求項１または２のいずれか１つに記載のデジタルのテキスト要素および／または画素（１２,１４）を色で表示する方法。
【請求項４】
全体的にもしくは部分的に、当該テキスト要素および／もしくは画素に割当てられる色（１９）または色の範囲は、ランダムジェネレータ（２４）によって選択されることを特徴とする、請求項１から３のいずれか１つに記載のデジタルのテキスト要素および／または画素（１２，１４）を色で表示する方法。
【請求項５】
当該色（１９）または色の範囲は重み付けされることを特徴とする、請求項４に記載のデジタルのテキスト要素および／または画素（１２，１４）を色で表示する方法。
【請求項６】
グレートーンを有するテキスト要素および／または画素（１２，１４）は、当該カラージェネレータによって当該グレートーンに対応するカラーパレットの色（１９）を割当てられることを特徴とする、請求項１から５のいずれか１つに記載のデジタルのテキスト要素および／または画素（１２，１４）を色で表示する方法。
【請求項７】
当該画素（１４）は、各々の場合に、当該カラージェネレータ（１８）によって画像に対応する着色を選択されることを特徴とする、請求項１から６のいずれか１つに記載のデジタルのテキスト要素および／または画素（１２,１４）を色で表示する方法。
【請求項８】
画素（１４）は、当該カラーディスプレイ（２２）では見ることのできないテキスト識別情報を有し、当該情報によって当該画素が何を表わすかを確かめることができることを特徴とする、請求項１から７のいずれか１つに記載のデジタルのテキスト要素および／または画素（１２，１４）を色で表示する方法。
【請求項９】
当該カラーディスプレイ（２２）は、移動局の構成要素として設けられることを特徴とする、請求項１から８のいずれか１つに記載のデジタルのテキスト要素および／または画素（１２，１４）を色で表示する方法。
【請求項１０】
色（１９）の割当ては、中央で制御されるカラージェネレータ（１８）によって実施されることを特徴とする、請求項１から９のいずれか１つに記載のデジタルのテキスト要素および／または画素（１２，１４）を色で表示する方法。
【請求項１１】
個々の色（１９）はディスプレイから排除することができることを特徴とする、請求項
１から１０のいずれか１つに記載のデジタルのテキスト要素および／または画素（１２，１４）を色で表示する方法。
【請求項１２】
デジタルのテキスト要素および／または画素（１２，１４）をデジタルカラーディスプレイ（２２）上で表示するための装置であって、当該テキスト要素および／または画素（１２，１４）は、独自の色情報を有さず、各々の場合にカラーパレットからの色（１９）を当該テキスト要素および／または画素（１２，１４）の各々に割当てるカラージェネレータ（１８）が設けられることを特徴とする、装置。
【請求項１３】
当該テキスト（１２）から或る言葉を検出し、かつ当該カラージェネレータ（１８）に予め固定された色（１９）または固定された色の範囲をこれらに割当てさせるテキストフィルタ（１６）を特徴とする、請求項１２に記載のデジタルのテキスト要素および／または画素（１２，１４）をデジタルカラーディスプレイ（２２）上で表示するための装置。
【請求項１４】
当該テキスト（１２）から或る言葉をフィルタリングし、かつ当該カラージェネレータ（１８）に予め固定された色（１９）または固定された色の範囲を当該言葉の表示の背景に割当てさせるテキストフィルタ（１６）を特徴とする、請求項１２または１３のいずれか１つに記載のデジタルのテキスト要素および／または画素（１２，１４）をデジタルカラーディスプレイ（２２）上に色で表示するための装置。
【請求項１５】
全体的にもしくは部分的に当該テキスト要素または画素（１２，１４）に割当てられる色（１９）または色の範囲を選択するランダムジェネレータ（２４）を特徴とする、請求項１２から１４のいずれか１つに記載のデジタルのテキスト要素および／または画素（１２，１４）をデジタルカラーディスプレイ（２２）上に色で表示するための装置。
【請求項１６】
当該色（１９）または色の範囲は重み付けされた形態で与えられることを特徴とする、請求項１５に記載のデジタルのテキスト要素および／または画素（１２，１４）をデジタルカラーディスプレイ（２２）上に色で表示するための装置。
【請求項１７】
グレートーンを有するテキスト要素および／または画素（１２，１４）に、当該グレートーンに対応するカラーパレットの色（１９）を割当てるカラージェネレータ（１８）を特徴とする、請求項１２から１６のいずれか１つに記載のデジタルのテキスト要素および／または画素（１２，１４）をデジタルカラーディスプレイ（２２）上に色で表示するための装置。
【請求項１８】
当該カラージェネレータ（１８）は、当該画素（１４）のために、各々の場合に画像に対応する着色（１９）を選択することを特徴とする、請求項１２から１７のいずれか１つに記載のデジタルのテキスト要素および／または画素（１２，１４）をデジタルカラーディスプレイ（２２）上に色で表示するための装置。
【請求項１９】
当該画素（１４）は、当該カラーディスプレイ（２２）では見ることのできないテキスト識別情報を有し、当該情報によって当該画素が何を表わすかを確かめることができることを特徴とする、請求項１２から１８のいずれか１つに記載のデジタルのテキスト要素および／または画素（１２，１４）をデジタルカラーディスプレイ（２２）上に色で表示するための装置。
【請求項２０】
当該カラーディスプレイ（２２）は、移動局の構成要素として設けられることを特徴とする、請求項１２から１９のいずれか１つに記載のデジタルのテキスト要素および／または画素（１２，１４）をデジタルカラーディスプレイ（２２）上に色で表示するための装置。
【請求項２１】
主として色（１９）の割当てを実施する中央で制御されるカラージェネレータ（１８）を特徴とする、請求項１２から２０のいずれか１つに記載のデジタルのテキスト要素および／または画素（１２，１４）をデジタルカラーディスプレイ（２２）上に色で表示するための装置。
【請求項２２】
個々の色（１９）を排除するための手段が与えられることを特徴とする、請求項１２から２１のいずれか１つに記載のデジタルのテキスト要素および／または画素（１２，１４）をデジタルカラーディスプレイ（２２）上に色で表示するための装置。
装置。
【請求項２３】
当該カラージェネレータ（１８）による色の選択のための基準として輝度および／またはコントラストを考慮に入れる手段が与えられることを特徴とする、請求項１２から２２のいずれか１つに記載のデジタルのテキスト要素および／または画素（１２，１４）をデジタルカラーディスプレイ（２２）上に色で表示するための装置。
【発明の詳細な説明】
【技術分野】
【０００１】
技術分野
本発明は、デジタルのテキスト要素および／または画素をデジタルカラーディスプレイ上に色で表示する方法に関し、このテキスト要素および／または画素は、それ独自の色情報を有さないものである。さらに、本発明は、デジタルのテキスト要素および／または画素をデジタルカラーディスプレイ上で表示するための装置に関し、このテキスト要素および／または画素はそれ独自の色情報を有さない。
【背景技術】
【０００２】
背景技術
白黒の画像および／またはテキストは、より本物らしく見せるために着色されることが多い。また、フィルムは画像であるが、画像は互いに貼り合わされる。当初白黒で撮られたフィルムは、一方で色で表わされる。この目的のために、フィルムは費用をかけて着色される。以前は、これらの画像は個々に、すなわち画像毎に手によって色素で着色されていた。費用上の理由から、画像またはフィルムを着色するこの方法は、費用に見合った方法としてはもはや適用することはできない。
【発明の開示】
【発明が解決しようとする課題】
【０００３】
今日では、これらの白黒の画像またはテキストが、スキャナによってスキャンされている。白黒画像は、その後で、コンピュータのメモリにおいてデジタル形式で利用可能である。デジタルデータは処理がより容易である。適切なプログラムを用いると、色情報はコンピュータによってデジタル画像に割当てることができる。しかしながら、この色情報の割当ては、依然として主に手で行なわれている。なぜなら、画像のみからでは、そこで見ることのできる個々の対象物にどの色が割当てられるべきかを確かめることができないからである。この画像には色情報がない。せいぜい、白黒画像のグレートーンが、色選択のための基準として機能するくらいである。グレートーンによって、たとえば色が僅かに濃いかまたは僅かに薄いかを決定することができる。画像の着色によって、色は実質的に現実に従ったものとなる。
【０００４】
どの色が画像またはテキストに割当てられるかは全く重要ではない。画像またはテキストが色彩に富んだ外観を有することが単に重要なのである。光学的な現実の色は、より二次的な役割を果たす。
【０００５】
発明の開示
したがって、本発明の目的は、デジタルカラーディスプレイのための方法および装置を提供することであり、独自の色情報を有さない黒またはグレーのテキスト要素または画素それぞれが、自動的に色で表示される。
【課題を解決するための手段】
【０００６】
本発明に従うと、この目的は、最初に述べたような方法を用いて、カラージェネレータが、カラーパレットからの色をテキスト要素および／または画素の各々に割当てることによって達成される。
【０００７】
さらに、この目的は、最初に述べたようなデジタルのテキスト要素および／または画素をデジタルカラーディスプレイ上で表示するための装置によって達成され、各々の場合に、カラーパレットからの色をテキスト要素および／または画素の各々に割当てるカラージ
ェネレータが設けられる。
【０００８】
本発明は、各々のテキスト要素または画素に単に色を割当てるという原理に基づいている。これは、選択的な色または以前に規定された色であってもよい。本発明の目的は、当初白黒のディスプレイに着色し、かつそれらを適切なディスプレイ装置で表現することである。
【０００９】
画像またはテキストのグレーの構成要素も基本的に白黒である。なぜなら、デジタル領域におけるグレーの領域も、黒および白のスポットからなるからである。白のスポットの割合が高いほど、グレートーンがより明るく見える。グレートーンが暗いほど、白いスポットと比較してより多くの黒いスポットがグレーの領域に存在する。
【００１０】
テキストフィルタがテキストから或る言葉を検出し、かつカラージェネレータに予め固定された色または固定された色の範囲をそれらに割当てさせる場合に、本発明の方法に有益な変更となることがわかっている。たとえば、「ラブ」および「ハート」という言葉は赤の色と関連付けることができるのに対し、「森」および「草地」という言葉は緑と関連付けられる可能性が高い。
【００１１】
本発明のさらなる有利な変更は、テキストフィルタがテキストから或る言葉をフィルタリングし、かつカラージェネレータに予め固定された色または固定された色の範囲をこの言葉の表示の背景に割当てさせることによって達成される。たとえば、「海」または「寒い」という言葉がテキストに表われると、背景は藍色、すなわち人が水や寒さを連想する色で着色することができる。ぼやけた色の遷移が生成されてもよい。
【００１２】
如何なる任意の色もテキスト要素または画素に割当てるために、有利にも、色または色の範囲を、「白黒」またはグレーのテキスト要素および／または画素それぞれに割当てるランダムジェネレータが適している。
【００１３】
有利にも、色または色の範囲に重み付けをしてもよい。この基準によって、たとえば、暗くて悲しい色と比較して、特に明るく楽しい色が用いられるかどうかを調整することができる。
【００１４】
グレートーンを有するテキスト要素および／または画素を用いて、有利にも、カラージェネレータがグレートーンに対応するカラーパレットの色を割当てる。
【００１５】
本発明の方法のさらなる有利な局面は、カラージェネレータが画素につき、各々の場合に画像のコンテンツに従った着色を選択し、この着色をそれぞれの画素に割当てることにある。したがって、たとえば、森および草地を「緑」の着色で、またはハートを「赤」の着色でデジタルで着色することができる。この手順を簡単にするために、画素は、カラーディスプレイで見ることのできないテキスト識別情報を有し、この情報によって画素が何を表わすのかを確認することができる。
【００１６】
本発明の方法の適切な変更は、カラーディスプレイが移動局の構成要素として設けられることによって得られる。このようにして、移動局における色表現に影響を与えることができる。ここで白黒のコンテンツが移動局において色で表示される。
【００１７】
小さな寸法の移動局の資源を過度に強調しないようにするために、本発明の有利な変更に従うと、色の割当ては、中央で制御されるカラージェネレータによって実施され得る。
【００１８】
本発明の装置の特に有利な変更は、各々の場合に、カラーパレットからの色をテキスト
要素および／または画素の各々に割当てるカラージェネレータが設けられることにある。
【００１９】
テキストフィルタがテキストから或る言葉を検出し、かつカラージェネレータに予め固定された色または固定された色の範囲をそれらに割当てさせる場合に、さらなる利点が生じる。
【００２０】
本発明の装置の有利な変更は、テキストフィルタが設けられることによって得られ、このテキストフィルタは、テキストから或る言葉をフィルタリングし、かつカラージェネレータに予め固定された色または固定された色の範囲をその言葉の表示の背景に割当てさせる。これによって、異なる背景を生成することができる。
【００２１】
本発明のさらなる有利な変更は、ランダムジェネレータを用いることにあり、このランダムジェネレータは、完全にまたは部分的にこのテキスト要素または画素に割当てられる色または色の範囲を選択する。デジタルディスプレイ上で望まれない色よりも好ましい色をより頻繁に表示するために、色または色の範囲が重み付けされることが好ましい。
【００２２】
本発明のさらなる有利な局面は、ここでカラージェネレータが、グレートーンに対応するカラーパレットの色を、グレートーンを有するこれらのテキスト要素および／または画素に割当てることである。
【００２３】
本発明の装置のさらなる変更において、カラージェネレータは、画素につき各々の場合に画像に対応する着色を選択する。このようにして、たとえば空および海を青で表示することができる。この表示は、画素がカラーディスプレイでは見ることのできないテキスト識別情報を有する場合に、より容易に実現され、この情報によって画素が何を表現するのかを確かめることができる。
【００２４】
本発明の好ましい実施例において、カラーディスプレイが移動局の構成要素として設けられる。
【００２５】
表示装置の容量を節約するために、本発明の有利な変更において、中央で制御されるカラージェネレータは、主として色の割当てを行なう。
【００２６】
十分なコントラストおよび十分な輝度が常に保証されるように色が選択されれば有益であることがわかっている。したがって、カラージェネレータに、デジタルディスプレイで十分なコントラストおよび十分な輝度が存在する色のみを選択させる適切な手段が提供される。これによって、観察者の目でディスプレイの情報をより容易に理解することができる。
【００２７】
さらなる利点が従属請求項の主題から生じる。
【発明を実施するための最良の形態】
【００２８】
好ましい実施例
図１を参照すると、デジタルの白黒のテキスト要素または画素を表示するための装置および方法の第１の実施例が、原理の概略図の形態で示されている。数字１０はデジタルの白黒の画像を示している。このデジタル画像１０は、テキスト要素１２および画素１４を含む。技術的な実現において、テキスト要素１２および画素１４は、画像ジェネレータによって読み出されるデジタルメモリマトリックスにおいて利用可能である。このメモリマトリックスおよび画像ジェネレータはこの図には示されていない。
【００２９】
デジタルのおよび白黒の画像１０は、テキストフィルタ１６に与えられる。テキストフ
ィルタ１６は、デジタルテキスト１２を分析し、カラージェネレータ１８に、予め規定された色１９を個々の言葉に割当てさせる。この目的のために、色１９は、カラージェネレータによってカラーパレット２０から選択される。その後で、ここでカラーパレットの色が割当てられるデジタル画像１０がデジタルディスプレイ２２上に色で表示される。したがって、デジタルディスプレイ２２は着色された表現を表示することができるはずである。
【００３０】
図２は、デジタルの白黒のテキスト要素および画素を色で表示するための装置および方法のランダムジェネレータを有する第２の実施例を示している。数字１０は再びデジタルの「白黒の」画像を示している。このデジタル画像１０は、テキスト要素１２および画素１４を含む。技術的に実現する際に、テキスト要素１２および画素１４は、先行の実施例のように、画像ジェネレータによって読み出されるデジタルメモリに記憶される。
【００３１】
デジタルの白黒の画像１０がテキストフィルタ１６に与えられる。テキストフィルタ１６は、デジタルテキスト１２を分析し、カラージェネレータ１８に個々の言葉を予め規定された色と関連付けさせる。この目的のために、色１９は、カラージェネレータ１８によってカラーパレット２０から選択される。この選択はランダムジェネレータ２４を通して行なわれる。これは、テキスト１２が如何なる任意の色も得ることを保証する。しかしながら、ランダムジェネレータ２４を用いると、カラーパレット２０の或る色１９が排除されることも考えられる。
【００３２】
カラージェネレータ１８によって任意の色がテキスト１２または画素に割当てられるとすぐに、テキストおよび画素はデジタルカラーディスプレイ２２上で出力される。
【００３３】
このようにして、上述の方法によって、ここで色を、或る基準に従ってまたは任意に、色情報を全く有さない画像またはテキストに割当てることができる。以前には白黒のもしくはグレーの画像またはテキストが手で着色されていたが、今ではこれらの画像またはテキストは、自動的に色で表示することができる。これによって、いずれにせよディスプレイを色鮮やかに設計することができる。
【図面の簡単な説明】
【００３４】
【図１】原理の概略図であり、デジタルの白黒のテキスト要素および画素を色で表示するための装置の第１の実施例、およびこれらを色で表示するための方法を示す図である。
【図２】原理の概略図であり、デジタルの白黒のテキスト要素または画素を色で表示するための装置用のランダムジェネレータを有する第２の実施例、およびこれらを色で表示する方法を示す図である。
【図１】
2006505808.tif 000003
【図２】
2006505808.tif 000004
【国際調査報告】
2006505808.tif 000005
2006505808.tif 000006
2006505808.tif 000007
2006505808.tif 000008
2006505808.tif 000009
2006505808.tif 000010